Podtech/llm-jp-corpus-v4-ja_patent huggingface dataset:
(57)【要約】      （修正有）【課題】成型環境や作業者の熟練度に依存せずに継手強度を向上させることができる接着継手を提供する。【解決手段】単純重ね合わせ継手の強度を向上させるため、フィレットとフィレット部以外で接着剤種を変更することで、成形環境や作業者の熟練度に依存せずに継手強度を向上させる継手が提供される。好ましくは、前記フィレット部に供される硬化後の前記第２接着剤４０は、前記挟まれ部に供される硬化後の前記第１接着剤３０より柔らかい。【選択図】図１
2020180684.tif 000002
【特許請求の範囲】
【請求項１】
重ねられる被着材の端部の段部にフィレット部を有する接着継手において、
前記接着継手は、
２種の接着剤で接合されること
を特徴とする接着継手。
【請求項２】
請求項１に記載される接着継手において、
前記接着継手は、
重ねられる前記被着材で挟まれる挟まれ部に供される第１接着剤と、
前記第１接着剤に連続するとともに前記フィレット部をなす第２接着剤と、
を有すること
を特徴とする接着継手。
【請求項３】
請求項２に記載される接着継手において、
前記接着継手は、
前記フィレット部に供される硬化後の前記第２接着剤は、前記挟まれ部に供される硬化後の前記第１接着剤より柔らかいこと
を特徴とする接着継手。
【発明の詳細な説明】
【技術分野】
【０００１】
本発明は、特に、重ね合わせて接着された被接合材の端部に、フィレットを形成した接着剤による接着構造に関する。
【背景技術】
【０００２】
航空機や自動車においては、マルチマテリアル化の観点から、構造接着剤を用いた接合が研究されている。構造接着剤による接合では、継手強度は接着層の破壊によって決まる。一般に接着端部では接着剤がはみ出し、フィレットが形成される。このフィレットにより単純重ね合わせ継手の強度が増すことが実験的に示されており、その有効性が確認されている。また、その継手強度はフィレットの形状により変化する。
【先行技術文献】
【非特許文献】
【０００３】
【非特許文献１】藤井透、“単純重ね合わせ継手強度に及ぼすフィレットの効果とそのメカニズム”、日本接着学会誌３７巻  ３号、ｐｐ．１０９−１１８  ２００１年
【発明の概要】
【発明が解決しようとする課題】
【０００４】
継手強度は、フィレット形状に依存する。そして、フィレットの成型精度は、成型環境や作業者の熟練度に依存する。そのため、成型環境や作業者の熟練度に依存せずに、継手強度を向上させる点において解決すべき課題がある。
【課題を解決するための手段】
【０００５】
フィレット部のみ接着剤種を変更する。フィレット部の接着剤は、フィレット部以外の接合部の接着剤部分と比較して低弾性率とする。低弾性率の接着剤を用いることにより、成型環境や作業者の熟練度に依存せずに継手強度を向上させることができる。
【発明の効果】
【０００６】
本発明によれば、成型環境や作業者の熟練度に依存せずに継手強度を向上させることができる接着継手を提供することができる。
【図面の簡単な説明】
【０００７】
【図１】図１は、接着剤による接合部の断面図である。
【発明を実施するための形態】
【０００８】
以下、図を参照して、本発明の実施の形態を説明する。まず、説明に供する各方向を定義する。接着継手の長手方向をＸ方向、接着継手の幅方向をＹ方向、接着継手の高さ方向をＺ方向とし、以下、単にＸ方向、Ｙ方向、Ｚ方向と記す。
【０００９】
図１は、接着剤による接合部の断面図である。被着材１０は、Ｘ方向に交差する断面形状が矩形状であり、Ｘ方向に有限の長さを持つ板である。一対の被着材３０のＸ方向の端部で挟まれる部位が、第１接着３０によって接着（接合）される。
【００１０】
また、第１接着剤３０のＸ方向の両端部には、Ｙ方向に交差する断面形状が略三角形のフィレット部が第１接着剤３０に連続する態様で備えられており、このフィレット部は第２接着剤４０からなる。第２接着剤（フィレット部）４０の弾性率は、第１接着剤３０のそれより小さい。つまり、硬化後の第２接着剤（フィレット部）は、硬化後の第１接着剤（挟まれ部）より柔らかく、変形しやすい。
【００１１】
従来、重ねられた被着材１０を接着する際、重ねられた被着材１０に塗布される第１接着剤３０と同様に、第１接着剤３０で重ねられた被着材１０のＸ方向の端部（段部）にフィレット部を形成していた。この段部に第１接着剤３０フィレット部を付与することにより、継手の強度を高めることが可能ではあった。
【００１２】
しかしながら、強度向上の効果は、第１接着剤３０によるフィレット部の仕上げ形状に関係するため、作業者の熟練度を高める必要があった。さらに、強度を向上できるフィレット部を得るために、第１接着剤３０が硬化する時に発生するアウトガスに起因するノッチの発生や、接着部の体積が減少する「やせ」等による影響を抑制するため、作業場の温度や湿度を制御できる作業室を整える必要があった。
【００１３】
本実施の形態に係る構成によれば、フィレット部をなす第２接着剤４０の弾性率を第１接着剤３０のそれより小さくして、第２接着剤４０を第１接着剤３０より柔らかく容易な変形を許容することで、作用する荷重等によって重ねられた被着材１０が変形した場合に、フィレット部が被着材１０の変形に追随して変形するため、第２接着剤４０によるフィレット部が破壊の起点となりにくい構成を実現している。
【００１４】
解析によって、この構成がもたらす高い応力緩和効果等の作用効果が明らかとなっており、第２フィレット部の形状を管理することなく、継手の強度を高めることができる。
【００１５】
このため、本実施の形態によれば、成型環境や作業者の熟練度に依存せず、継手強度を向上させることのできる接着継手を提供することができる。
【符号の説明】
【００１６】
１０…被着材、３０…第１接着剤（中間部）、４０…第２接着剤（フィレット部）、Ｘ…長手方向（レール方向）、Ｙ…幅方向（枕木方向）、Ｚ…高さ方向
【図１】
2020180684.tif 000003
(57)【要約】【課題】ジェルネイル用剥離剤（リムーバー）においてアセトン濃度の減少を課題とする。【解決手段】  グレープフルーツ果皮油を５１から７０％濃度に用いてアセトン濃度を４９から３０％に減少させたジェルネイル用剥離剤。【選択図】なし【特許請求の範囲】
【請求項１】
ジェルネイル用リムーバーにおいて、グレープフルーツ果皮油を加えることによりアセトン濃度を減少させたことを特徴とするジェルネイルリムーバー。
【請求項２】
請求項１のジェルネイル用リムーバーにおいて、グレープフルーツ果皮油を５１から７０％を加えることによりアセトン濃度を減少させたことを特徴とするジェルネイルリムーバー。
【請求項３】
請求項１のジェルネイル用リムーバーにおいて、グレープフルーツ果皮油を加えることによりアセトン濃度を３０から４９％に減少させたことを特徴とするジェルネイルリムーバー。
【請求項４】
請求項１のジェルネイル用リムーバーにおいて、グレープフルーツ果皮油の代わりにリモネン、オレンジ果皮油、柑橘系果皮油を用いることを特徴とするジェルリムーバー。
【発明の詳細な説明】
【技術分野】
【０００１】  本発明は、多くの女性が施しているジェルネイルのリムーバーについてである。ジェルネイル用リムーバーの主成分として使われてきたアセトンを減量することを特徴とする新規ジェルネイルリムーバーに関するものである。
【背景技術】
【０００２】  マニュキュアは女性の爪化粧であって、塗料に分類される。言い換えると爪への塗装であって、爪への接着に化学的な結合は関与しておらず、爪上で充填剤を乾燥させて除去し硬化させることを特徴とする。したがって、剥がすのは比較的容易である。剥離剤は除光液ともよばれ、主にアセトンが使われてきた、また化学的な結合が関与していないので、アセトンを用いない除光液も多く知られている。その中にはリモネンや柑橘系果皮油を用いたものも知られている。その後マミキュアの次の世代の爪化粧としてジェルネイルが開発された。ジェルネイルはウレタンオリゴマー等を含むジェルネイル成分に光重合剤を添加して紫外線やＬＥＤなどを照射して爪上で光重合反応を起こして化学的共有結合によって爪上にジェルネイルを硬化させる手法である。このために、剥離はマニュキュアのように簡単に剥離できず、当初は研磨によって剥離していた。その後ジェルネイル自体の改良が行われ、アセトンを主成分とするリムーバーが市販されている。
ところで、アセトンはヒトの体の成分でもあり、体内に残留することもなく安全性も高い。しかしながら、アセトンは化学合成されて販売されている有機物であるためか、およびアセトン独特の匂いに起因してか、使っている女性から人気がない。批判も多い。【０００３】  そこで本発明者等はアセトンを使用しないで機械的に剥離できるジェルネイルを開発し先行発明として特許出願（特許文献１）を行った。しかしながら本先行発明ではどうしても爪にごく軽度のキズをもたらし、実用化には至らなかった。
そこで、本発明では、ジェルネイル用リムーバーの主成分であるアセトン成分の減量を試みた。
なお、本発明ではアセトンとグレープフルーツ果皮油を混合しているが、グレープフーツ果皮油は、マニュキュアの剥離にもちいられた例はあるが、ジェルネイルの剥離に用いられたことはない。
【先行技術文献】
【特許文献】
【０００４】
【特許文献１】特開２０１３−１７７３６２号公開
【発明の概要】
【発明が解決しようとする課題】
【０００５】  ジェルネイル用剥離剤としてアセトンが主成分としてもちいられてきたが、このアセトンの減量を試みることを本発明の課題とする。
【課題を解決するための手段】
【０００６】  本発明は、グレープフルーツ果皮油を用いることによってアセトン濃度を減少させることに成功した。
【発明の効果】
【０００７】  いままで女性から好まれなかったアセトン濃度を大幅に減少させることができた。さらにグレープフルーツ果皮油を主成分に用いることによって香がアセトン臭からグレレープフルーツの香に変った。このことは香を重視する女性にはより好ましいものに変った。
【発明を実施するための形態】
【０００８】  アセトン３０から４９％を含むリムーバーでグレープフルーツ果皮油７０〜５１％
を含ませてなる。なお、グレープフルーツ果皮油の変りに、オレンジ果皮油、リモネン、柑橘類果皮油のいずれにも代えることができる。また最後に添加物としてグリセリン１から５％、エタノール１から５％、その他添加物を数％添加することもできる。
【実施例１】
【０００９】  グレープフルーツ果皮油を５４％（Ｖ）にアセトン４４％（Ｖ）とグリセリン１％（Ｖ）エタノール（Ｖ）１％からなるジェルネイル剥離剤（リムーバー）。
【実施例２】  グレープフルーツ果皮油を５５％（Ｖ）にアセトン４５％（Ｖ）からなるジェルネイル剥離剤（リムーバー）。【００１０】本発明の実施例１および２は以下のようにテストした。
すなわち、ジェルネイルであるカルジェルをベースジェルとして塗布後、Ｃａｌｇｅｌデュアルネイルライトを用いて３０秒間硬化させ、その上に前記カルジェルに色を混合したカラージェルを２層に塗布し、同ライトを用いて６０秒間硬化させた。引き続いて、カルジェル社ノンワイプトップジェルを塗布後に６０秒間硬化させた。その後１週間放置後、脱脂綿に実施例１又は２の本発明のジェルネイル剥離剤を染み込ませて、硬化したジェルネイルに載せて、アルミホイールで包み込んで１０〜２０分間放置した。１０〜２０分後アルミホイールを開放すると爪上の硬化したジェルネイルは全て膨潤して簡単に剥離された。
【産業上の利用可能性】
【００１１】  本発明者が開発したリムーバーにおいて、はじめてアセトンの濃度の減少に成功し、且つ多くの女性が好む、グレープフルーツ臭に香を変えることができた。
(57)【要約】【課題】トイレの尿はねを無くす為の方法。【解決手段】人感センサーと電磁弁付きのエアーコンプレッサー等でエアーを送り、尿はね防止装置で尿はねを防止します。【選択図】図１
2020143537.tif 000002
【特許請求の範囲】
【請求項１】
人感センサーによりコンプレッサーの電磁弁を開いて、尿はね防止装置にエアーを送り、エアーカーテンで尿はねを防止する。
【発明の詳細な説明】
【技術分野】
【０００１】
トイレ小水はね防止を目的とします。
【背景技術】
【０００２】
この装置はエアーカーテンの原理を応用しています。
【発明の概要】
【発明が解決しようとする課題】
【０００３】
今までは男子の小水の時、小水のハネで便器周りが汚れたり、臭いがすることがありました。
【課題を解決するための手段】
【０００４】
小水はね防止のために、エアーカーテンで小水はねを防止ます。
【発明の効果】
【０００５】
エアーカーテンにより便器及びその周りの汚れを防止します。
【図面の簡単な説明】
【０００６】
【図１】図面１は男子用トイレ本体と尿はね防止装置本体の正面図です。図面2は尿はね防止装置本体の拡大図です。
【産業上の利用可能性】
【０００７】
男子トイレだけでなく腰掛け用のトイレにも使用できる。
【符号の説明】
【０００８】
Ａ  エアーカーテン用の接続チュウブ
Ｂ   人体センサー  
C  エアー電磁弁
D  コンプレッサー
E  便器本体
F  尿はね防止装置本体
【図１】
2020143537.tif 000003
(57)【要約】【課題】従来の酢酸ビニル樹脂溶液は酢酸ビニル樹脂をメタノールに溶解した組成物であった。しかし、メタノールは有機溶剤中毒予防規則に該当する物質であり、使用に際しては局所排気装置の設置と６ヶ月毎の職場環境管理が必要である。従って、これらの規制が不要でかつ酢酸ビニル樹脂を良く溶解し、メタノール並の乾燥性を有する溶剤で酢酸ビニル樹脂を溶解した組成物が要望されてきたが、このようなものは発明されなかった。【解決手段】本発明品は、エタノール２０〜８０ｗｔ％、ジメチルカーボネート８０〜２０ｗｔ％の混合溶液で酢酸ビニル樹脂を溶解した組成物である。上記２品は共に有機溶剤中毒予防規則に該当しない安全な物質であり、酢酸ビニル樹脂を良く溶かし、乾燥性も優れている。【特許請求の範囲】
【請求項１】
酢酸ビニル樹脂をエタノール２０〜８０ｗｔ％、ジメチルカーボネート８０〜２０ｗｔ％より成る混合物で溶解した組成物。
【発明の詳細な説明】
【技術分野】
【０００１】接着剤の分野に属する。
【背景技術】
【０００２】従来の酢酸ビニル樹脂溶液としては、酢酸ビニル樹脂をメタノールに溶解したものが用いられて来た。
これはメタノールが酢酸ビニル樹脂をよく溶解し、かつ、メタノールの乾燥が早く作業性が良いためである。【０００３】しかし、近年メタノールの人体への有害性が指摘されるに至り、メタノールは有機溶剤中毒予防規則別表２に記載された。
従って使用現場においては局所排気装置の設置及び６ヶ月ごとの職場雰囲気のメタノール濃度の測定管理が必要となった。
その為、使用者側からはこれらの装置及び管理を必要としない、安全な組成の酢酸ビニル樹脂溶液の提供が要望されている。【０００４】しかしながら、このような組成物は未だ提供されていない。
その原因は、最も安全と考えられるエタノールが酢酸ビニル樹脂を溶解しないためである。
これを解決するためにエタノール９０ｗｔ％、水１０ｗｔ％の混合溶媒が提案されている。この混合溶媒は酢酸ビニル樹脂を相当量、溶解するがメタノールに比べて乾燥性が非常に悪い。
【発明の開示】
【発明が解決しようとする課題】
【０００５】第一に有機溶剤中毒予防規則に該当しない溶媒であること。
第二にその溶媒が、酢酸ビニル樹脂をよく溶解すること。
第三にその溶媒の乾燥速度がメタノールに近いこと。【０００６】本発明者らは種々検討を重ねた結果、エタノールとジメチルカーボネートを併用する事により、上記の課題が解決できることを見出し、本発明を完成させた。
以下、本発明を具体的かつ詳細に説明する。
【課題を解決するための手段】
【０００７】本発明はエタノールに適量のジメチルカーボネートを混合して使用する。エタノール及びジメチルカーボネートは共に有機溶剤中毒予防規則の対象外の物質である。【０００８】必要なジメチルカーボネートの濃度は２０〜８０ｗｔ％、好ましくは３０〜６０ｗｔ％である。
ジメチルカーボネートの含有量が低いと酢酸ビニル樹脂の溶解量が低下し、常温で溶解したとしても冬季に析出しやすくなる。含有量が高いと、ＡＢＳ樹脂、ポリメチルメタアクリレート樹脂へのアタック性が強くなる。
適当組成のエタノール、ジメチルカーボネート混合液に酢酸ビニル樹脂を加え、４０〜６０℃で撹拌、溶解すれば酢酸ビニル樹脂の溶液が得られる。
【発明の効果】
【０００９】１．本発明で用いるエタノールとジメチルカーボネートは共に有機溶剤中毒予防規則に該当しない安全な溶媒である。
従って使用現場における局所排気装置の設置が不要である。【００１０】２．エタノールとジメチルカーボネートの混合溶媒は酢酸ビニル樹脂をよく溶解する。【００１１】３．上記の混合溶媒の乾燥速度がメタノールに近いので作業性が良い。
例えばエタノール６０ｗｔ％、ジメチルカーボネート４０ｗｔ％の混合溶媒の２５℃に於ける乾燥速度の比較値は次のようであり、実用上全く問題がない。
メタノール：１００、エタノール：４５、上記溶媒：７３ちなみに各溶媒の沸点をみるとメタノ―ル：６４．７℃、エタノール：７８．３℃、ジメチルカーボネート：９０．３℃であり、沸点からは予想し得ない、すぐれた乾燥性である。
【発明を実施するための形態】
【００１２】酢酸ビニル樹脂を好適組成のエタノールとジメチルカーボネートの混合溶媒に分散し、撹拌しつつ４０〜６０℃で３０〜６０分間、加温する事により、透明・均一な酢酸ビニル樹脂が得られる。
【実施例１】
【００１３】５００ｍｌフラスコに還流冷却器をセットし、エタノール１２６ｇ、ジメチルカーボネート８４ｇ及び酢酸ビニル樹脂パウダー９０ｇを仕込んだ。
溶媒中のジメチルカーボネート濃度は４０ｗｔ％であり、全量中の酢酸ビニル樹脂の濃度は３０ｗｔ％である。
撹拌しつつ、５０℃で４０分間加熱し、次いで２５℃に冷却した。得られた溶液は透明で、２５℃の粘度は５８０ｍｐａ・ｓであった。
【実施例２】
【００１４】実施例１の装置に、エタノール４２ｇ、ジメチルカーボネート１６８ｇ及び酢酸ビニル樹脂パウダー９０ｇを仕込んだ。
溶媒中のジメチルカーボネート濃度は８０ｗｔ％であり、全量中の酢酸ビニル樹脂の濃度は３０ｗｔ％である。
撹拌しつつ５０℃で４０分間加熱し、次いで２５℃に冷却した得られた溶液は透明で、２５℃の粘度は７８４ｍＰａ・ｓであった。
【比較例１】
【００１５】実施例１の装置に、エタノール１７０ｇ、ジメチルカーボネート４０ｇ及び酢酸ビニル樹脂パウダー５２．５ｇを仕込んだ。
溶媒中のジメチルカーボネート濃度は１９ｗｔ％であり、全量中の酢酸ビニルの濃度は２０ｗｔ％である。
撹拌しつつ５０℃で４０分間加熱すると、透明・均一な液となった。
しかし、２５℃に冷却すると白濁し、２層に分離した。
【産業上の利用可能性】
【００１６】本発明の組成物は木材タイル貼付用接着剤及びネジ仮止め用接着剤等として、乾燥性が良く、かつ人体に安全であり、有用である。
(57)【要約】      （修正有）【課題】主食、料理をそれぞれ密封し、一体化したレトルトパックを提供する。【解決手段】インスタント食品は多種類有るが、主食とおかずが別々になっているため、レトルトのおかずは有るが、ごはんや、主食になるものが無かったり、又、その逆に主食はあるが、おかずが無いためすぐに食事ができないという問題を解決するため、主食と料理がそれぞれレトルトの状態で、個々に隔理し、それぞれ密封されて連なって一体になっている構成とする。【選択図】図１
2020152442.tif 000002
【特許請求の範囲】
【請求項１】
主食と料理がそれぞれレトルトの状態で、個々に隔理され、連なって一体になっている。
加熱後隔離した部分を開き下の主食の上に上の料理が覆い急場はそのままスプーンやフォークで食し、そうでない場合は皿に移して食す。
上の料理を下に移すとき、開口を半分位にすると下に移動しやすい。開口を斜めにすることにより広くなる。
【発明の詳細な説明】
【技術分野】
【０００１】  本発明は主食（米、うどん、そば、スパゲティー）を調理してレトルトの状態にして隔離密閉する。ルーやおかずも調理してレトルトの状態にして隔離して密閉して一体にする。
携帯に便利な、手軽なレトルト食に関する。
【背景技術】
【０００２】  インスタント食品は多種類有る。
アウトドア、保存食、避難食には１つになった形体が便利。
各家に手軽に携帯出来る食物として常備したい。
【発明の概要】
【発明が解決しようとする課題】
【０００３】  食事の用意が出来ない時、レトルトのおかずは有るが、ごはんや、主食になるものが無かったり、又、その逆であった時、本発明が味、分量、時間  便利さで優位であれば常備したい。
又、何時災害が襲いかかるかわからない昨今、「災害は忘れた頃にやってくる」という諺が有る様に水と一緒に常備する。カレー一辺倒ではなく、和、洋、中、との組合わせはバリエーションも膨む。
【課題を解決するための手段】
【０００４】  主食とおかずがレトルトの形態で個々に密閉しておく。
それが一体となり携帯に便利、家ででも直ぐに揃う。
電子レンジやお湯が有れば数分で食せる。
皿を用意して封を開け、移す。
【発明の効果】
【０００５】  本発明は主食とおかずの組み合わせでバリエーションを楽しむことが出きる。春、夏、冬の休みの時、昼食に困る時が有るが子供も飽ることなく、楽しみにして食事を待てる。
又、災害やアウトドアにも携帯出来、袋のまま１つに合わせ、スプーンやフォークで食することが出来る、余す時も封をして携帯できる。
【図面の簡単な説明】
【０００６】
【図１】２つの袋の形体
【図２】横から見た形体
【図３】料理と主食、食べる前の形
【発明を実施するための形態】
【０００７】▲１▼の袋に主食のレトルト状態
▲２▼の袋に副食、レトルト状態
▲３▼▲１▼と▲２▼の各々の蜜閉するもの
【発明を実施するための形態】
【０００８】  レトルト食品を入れるための袋、口を斜めにして密閉できる。
開けるものを中央にすると▲１▼▲２▼が合せ易い。斜めにすると口が広くなる。
▲１▼と▲２▼の底になるところを広くする
▲１▼の袋に主食を入れ▲２▼の料理を▲１▼に合わせていただく。
【図１】
2020152442.tif 000003
【図２】
2020152442.tif 000004
【図３】
2020152442.tif 000005
(57)【要約】【課題】飲料キャップとしての機能し、低コストで笛機能を取り付けた蓋。もしくは手を加える事で簡単に笛となる機能を備えた蓋。【解決手段】付け替えキャップの場合、あらかじめ２重構造の円形の穴を備え、笛構造をした飲み口を備えることで、付け替えキャップの蓋を開けることで、図面３の笛として使用可能な機構は生まれる。また一般のキャップ自体では、図面１図面２図面３のように、簡単に引きはがしたりできる突起はなるべく簡易なアクションで笛となるふたつの通気孔を容易に開けることを可能にした。【選択図】図３
2020152440.tif 000002
【特許請求の範囲】
【請求項１】
ペットボトルなどのキャップとなり２重の通気孔を備えた蓋体、前記蓋体の開口部に２重構造を備え、内側に蓋開通つまみ（２重構造解放機構）を取り付けている笛となる機能を宿したキャップ。
【請求項２】
蓋の凹条部に２重壁を設け、蓋本体凸部を形成するとともに、凹条壁の蓋開通つまみで一部同穴を２重部分に開ける事が簡易に行え、笛機能を成すキャップ。凸条部に開通つまみを有す場合もあり得る。
【請求項３】
ペットボトルなどのキャップを付け替えて、上蓋を開放時がぶのみタイプの飲み口を宿したキャップで、その内部に２重構造の円形通気孔を設け、その通気口のサイズを調節することでボトルが倒れても水漏れがしない身体障害者、シルバー世代、怪我をしている場合の飲み口としても活用できる。笛機能はボトルから取り外し使用できる。
【発明の詳細な説明】
【技術分野】
【０００１】  この発明は、通常のペットボトルなどの飲料ボトルのキャップや、非常用飲料のキャップが、防犯用や防災用で緊急時に危険通知用としての活用や展開に関わるものである。
【技術背景】
【０００２】  現代社会において、様々な事件や天災が多発している。そのような事態が起きた場合、誰かに自分の身の危険を通知し救助を求める事が必要になる。そこで常に非常用の備品のひとつであるペットボトルの水の重要性がまずある。一般生活においてペットボトル飲料の需要が増し、スーパーやコンビニ、自動販売機で簡単に手に入り、子供から大人や年配者にいたるまで持ち歩く人も増加傾向にあり、非常用にも常備されているペットボトルなどの飲料に非常用通知機能（笛）が備わっている飲料キャップがあればと考える。
【０００３】  非常用に防犯ブザー等が普及し、携帯電話でＧＰＳ等位置情報を探索できるようになったが、電源が切れると如何なる機能も活用出来ない。よって必需品でありなおかつアナログで使い勝手が簡単なことは作動不安もなく安心である。さらに飲料ボトルは常時災害時には必須アイテムでもある。常にペットボトルなどの飲料さえあれば緊急事態発生時での備えとなりえる。
【先行技術文献】
【特許文献】
【０００４】
【特許文献１】類似品無し
【発明の概要】
【発明が解決しようとする課題】
【０００５】  震災など自然界の災害発生時に、外部との情報連絡手段が遮断された場合や、室内もしくは外出時で何らかの被害や事故に遭遇した場合、緊急に危機回避手段のひとつとして、危機事態通報として機能できるもの。また場合によっては、不審な人や動物などから危害を受けそうな場合等、危害相手への警戒表現であったり威嚇手段のひとつになるもの。【０００６】  この発明は一般のペットボトルなど飲料のキャップとして使用でき非常時にキャップの一部を取り外し笛となることを採用した。【０００７】  この発明は、一般市販のペットボトルのキャップとして販売可能な機構を備える２重構造の蓋とした。【０００８】    この発明は、通常はペットボトルキャップとして普通の密閉機能を備えた状態となるよう形成された構成を採用した。【０００９】    この発明は、小児や高齢者でも非常時に蓋の一部を取り外し笛の機能となる構成をとり、前記構成においては、未使用時に外部の悪戯を防ぐようにすることが好ましい。【００１０】    この発明は一般のペットボトルなど飲料のキャップもしくはキャップを取り換えて使用できる飲み口を備えたキャップで、非常時に取り外し笛となる機能をもつ展開をすることもできる。【００１１】    この発明は、瞬時に機能できるキャップ外部に取り外し機能をつけることも可能である。その場合、キャップ部分をシュリンク包装などを施し、使用前じてんでの悪戯防止策をとり安全を計ることが望ましい。
【図面の簡単な説明】
【００１２】
【図１】この発明に係る外観と機能を示す分解斜視図
【図２】要部斜面図で機能部表示を付した状態と蓋体の位置関係図
【発明を実施するための形状】
【００１３】この発明に係る２重構造が設けてある。
【００１４】蓋体開放時に圧入もしくは取り付けた凹条部分に穴開け用指つまみ（指挿しリング）位置がある。
【符号の説明】
【００１５】Ａ  蓋体１
Ｂ１  開閉孔取り外し部材
Ｂ２  ２重壁
Ｂ３  蓋開通つまみ部（Ｂ１と同時に取り外しとなる）
【図１】
2020152440.tif 000003
【図２】
2020152440.tif 000004
【図３】
2020152440.tif 000005
【手続補正書】
【提出日】令和1年6月19日(2019.6.19)
【手続補正１】
【補正対象書類名】明細書
【補正対象項目名】００１２
【補正方法】変更
【補正の内容】
【００１２】
【図１】この発明に係る外観と機能を示す分解斜視図
【図２】要部斜視図で機能部表示を付した状態と蓋体の位置関係図
【図３】機構展開説明例斜視図
【手続補正２】
【補正対象書類名】明細書
【補正対象項目名】００１５
【補正方法】変更
【補正の内容】
【００１５】Ａ    蓋体１
Ｂ１  開閉孔取り外し部材
Ｂ２  開閉孔取り外し部材
Ｂ３  開閉孔取り外し部材
Ｂ０  圧入リング（２重壁リング）
【手続補正３】
【補正対象書類名】図面
【補正対象項目名】全図
【補正方法】変更
【補正の内容】
【図１】
2020152440.tif 000006
【図２】
2020152440.tif 000007
【図３】
2020152440.tif 000008
(57)【要約】      （修正有）【課題】クリアファイルに入れた状態で内容物に記載の内容が見えるように掲示する場合に、掲示のために使用したガムテープなどの粘着剤が残ることなく使用できるクリアファイルを提供する。【解決手段】裏面ポリエチレンシート２と表面ポリエチレンシート３を３辺の溶着面４で溶着し、残る一辺の縁にはジッパーを溶着して表示物挿入口５とするとともに、該裏面ポリエチレンシート２の裏側に真空成型加工により形成された複数個の吸着盤１を配置する。【選択図】図１
2020152088.tif 000002
【特許請求の範囲】
【請求項１】
２枚のポリエチレンシートで構成され、裏面のシートには複数個の吸着盤があり、表面のシートには縦、横３辺の縁が溶着されている。残りの１辺の縁にはジッパーが表裏に溶着されたクリアファイル。
【発明の詳細な説明】
【技術分野】
【００１】この発明は、２枚のポリエチレンシートで構成され、裏面のポリエチレンシートには真空成型加工により形成された複数個の吸盤が有り、表面のポリエチレンシートと、が縦、横３面の縁が溶着されている。残る１辺の縁にはジッパーが表裏に溶着されジッパーを開き印刷物、あるいは手書きの文章などを差し込みする事が出来る、クリアファイルに関するものである。
【従来技術】
【００２】ＰＲ用の宣伝文字、或いは注意書き、もしくは警告などの文言を表示するなどの場合これらの文言を印刷した用紙をクリアファイルに装着し、クリアファイルの周囲を、ガムテープで張るとかがなされていたが、後日剥がした時、接着剤が残留し、残留物を取り除くには多大な労力を必要とした。今まではこれについての解決策として、ゴムシートの表面に印刷しそれを添付するなどの方法、あるいは、クリアファイルに添付する接着剤を弱めるなどの方法をやってきた。しかし、如何なる方法を以ってしても残留物の除去には至らなかった。残留物を減らすために接着を弱めれば特に、車両などに表示物を添付する様な場合、表面の凹凸などがあり添付が十分に出来なかった、特に走行時などは風圧ではがれてしまう傾向にあった。
【発明が解決しようとする課題】
【００３】従来は次の様な欠点が有った。クリアファイルをガムテープで張ることで、後日剥がした時、接着剤が残留し、残留物を取り除くことに多大の労力を必要とする事。残留物を減らす為、接着を弱めれば、添付が不十分で、風雨に弱く剥がれやすいなどの欠点があった。
【課題を解決するための手段】
【００４】裏面に真空成型加工により複数個の凹面部が形成されているので、張る場所が凹凸部分でも素材自体の柔軟性が高く、吸着面も多いので添付しやすい。しかも、剥がれにくく、除去した後も非添付物に対して残留物が全く無く、清潔を保てる。
【発明の効果】
【００５】透明の表面シートと、裏面に複数個の真空成型加工により形成された凹面部を有した、吸着面があるので表面を軽く撫でるだけで添付したい場所に簡単に添付する事が出来る。
又、添付の目的が果たされ、撤去する場合にはこのクリアファイルを剥がせば残留物もなく綺麗に剥がせる。
【発明を実施するための最良の形態】
【００６】２枚のポリエチレンシートで構成され、裏面のポリエチレンシートには真空成型加工により成形された複数個の吸着盤が有り、裏面のポリエチレンシートと表面のポリエチレンシートが、縦、横、３面の縁が溶着されている。残る１辺の縁にはジッパーが表裏に溶着されジッパーを開き印刷物、あるいは手書きの文章などを差し込みする事が出来るようにする。
【図面の簡単な説明】
【００７】
【図１】本発明の斜視図で有る
【図２】本発明の断面図で有る
【符号の説明】
【００８】１吸着盤
２裏面ポリエチレンシート
３表面ポリエチレンシート
４溶着面
５表示物挿入口
【図１】
2020152088.tif 000003
【図２】
2020152088.tif 000004
(57)【要約】      （修正有）【課題】一定の姿勢を保った状態であることを必要とせず、座った姿勢で或いは仰臥した状態で使うなど動きを束縛せず、さらに他のエネルギーを必要としないて、装着することにより、歩行時の多裂筋の動きで指圧の感触を得ることができる指圧器具を提供する。【解決手段】基板１と、指圧（押圧）に使う半円球凸部２と、基板と基板を結合するブリッジ３と、器具を腰のベルトに止めるホルダー４とを具備し、半円球の凸部は、基板１に設けた複数の穴と凸部に設けた突起とを結合する事により、移動した位置に固定できるようにした構成とする。【選択図】図１
2020018818.tif 000002
【特許請求の範囲】
【請求項１】
基板（１）に半円球凸部（２）を取り付ける。左右の半円球凸部は背骨の左右多裂筋を押圧する間隔とする。半円球凸部は基板の穴（５）と突起（６）で上下移動できかつ固定される。両基板はブリッジ（３）で、あるいはブリッジを要せず一体化されベルト保持部（４）でパンツ（ズボン）のベルト、或いは器具専用のベルトで保持される。
【請求項２】
腰に巻くベルトに背骨左右の多裂筋に接触するように凸部を配置した器具。
【発明の詳細な説明】
【技術分野】
【０００１】本発明は歩行時の多裂筋の動きで自動的に腰部の多裂筋を指圧する器具である。
【背景技術】
【０００２】従来、腰部の指圧器具は座った姿勢で腰部にあてるものや仰臥して腰部にあてるもので、歩行しながら使用するものはない。尚且つ指圧に際し電動式や空圧式等他にエネルギーを必要とするものであったりする。
【先行技術文献】
【０００３】
【特許文献１】
【非特許文献１】
【発明の概要】
【発明が解決しようとする課題】
【０００４】従来の指圧器具とされるものは次のような欠点があった。
（イ）    体を動かさない状態で使用するもので、動きを束縛する。
（ロ）    他にエネルギー（空気圧・電動等）が必要である。
本発明は上記の欠点を解決したものである。
【課題を解決するための手段】
【０００５】器具の基板を（１）とし、指圧に使う半円球の凸部を（２）として、基板と基板を結合するブリッジを（３）とする。（４）は腰のベルトを保持するホルダーである。凸部は（５）の穴により移動できるようにする。（６）は凸部と基板を結合する突起。
以上の構成よりなる器具で歩行時の多裂筋の動きで指圧の感触を得るものである。
【発明の効果】
【０００６】歩行時における多裂筋の動きで指圧の感触が得られる器具である。体を束縛せずに使え便利である。
【図面の簡単な説明】
【０００７】
【図１】平面図（外側から見た図）
【図２】平面図（背骨側から見た図）
【発明を実施するための形態】
【０００８】以下、本発明を実施するための最良の形態について説明する。
器具の基板を（１）とし、指圧に使う半円球の凸部を（２）として、基板と基板を結合するブリッジを（３）とする。（４）は腰のベルトを保持するホルダーである。凸部は（５）の穴により移動できるようにする。（６）は凸部と基板を結合する突起。
本発明は、以上のような構造である。
これを使用するときは図３で示すようにズボンのベルトで保持し使用する。
【符号の説明】
【０００９】１  基板    ２  体を指圧する半円球凸部    ３  基板と基板を結合するブリッジ
４  ベルトの保持部    ５・凸部を差し込む穴    ６・凸部と基板を結合する突起
【図１】
2020018818.tif 000003
【図２】
2020018818.tif 000004
【図３】
2020018818.tif 000005
【手続補正書】
【提出日】平成30年9月21日(2018.9.21)
【手続補正１】
【補正対象書類名】明細書
【補正対象項目名】０００７
【補正方法】変更
【補正の内容】
【０００７】
【図１】本器具を背面から見た図である。器具の左右の基板（１）は背骨脇の左右の多裂筋を指圧（押圧）するに必要な間隔を持ち、半円球凸部（２）が多裂筋と接触する。基板（１）と基板（１）を結合するブリッジを（３）とする。（４）は器具を腰のベルトに止めるホルダーである。
【図２】本器具を背面の反対、内側から見た図である。（５）は半円球凸部（２）を上下調整するための穴で半円球凸部の突起（６）を任意の（５）にはめ込むものである。
【図３】本器具を腰のベルトに通した時の図で、後方から見た図である。ベルトはズボン（パンツ）を穿いたに使用する通常のベルトである。このベルトに器具を装着したときの図である。
(57)【要約】【課題】ペーパーステージとすることで、繰り返し使え、持ち運びが容易で、組立費用を抑え、収納するのにかかる手間を減らし、収納スペースも場所を取らずに収納できるステージ（台）を提供する。【解決手段】ステージを組立てるための全ての部品においてペーパーを用い、しかも最小の部品点数により、収納する手間を減らし、収納スペースも場所を取らずに済む。また、適材適所でペーパーの強度を変えることにより、軽量化を図り、全体の強度を損なわずにイベントに使用するステージを実現できるため、繰り返し使え、持ち運びの容易さを実現した。【選択図】図１
2020018819.tif 000002
【特許請求の範囲】
【請求項１】
ステージを組立てる全ての部品がペーパーでできていることを特徴とする台。
【請求項２】
収納時に平面であるが、組み立てることにより立体となることを特徴とする請求項１に記載の台。
【請求項３】
天板が手提げカバンになることを特徴とする請求項１から２に記載の台。
【請求項４】
天板および側面を広告ボードとして使用することを特徴とする請求項１から３に記載の台。
【発明の詳細な説明】
【技術分野】
【０００１】本発明は、簡易に繰り返し組み立てられる持ち運び可能なステージ・台・ベッドに関するものである。
【背景技術】
【０００２】  従来、イベントを開催するにあたり、それに使用する人が乗るステージは、設営業者などの専門業者が、主催者により依頼を受け、その都度設営をしている現状がある。これは、一度イベントが終了すると撤収され、再度イベントを開催しようとすると再度設営業者へ依頼することになる。言わば、使い切りのものであった。また、何度でも使用することができるアルミの持ち運びステージもあるが、重く持ち運ぶことが困難である。
しかし、イベント開催にかかるこのような費用を軽減し、開催自体のハードルを下げることができないか、そのために、自分たちで簡単にステージを組み立てることができ、持ち運ぶことができないか、しかも何度でも自由にステージを作ることができないか、との思いがイベント主催者側のニーズとしてあった。
【先行技術文献】
【０００３】
【発明の概要】
【発明が解決しようとする課題】
【０００４】  解決しようとする問題点は、▲１▼レンタルで使い切りであったステージを自己所有し、繰り返し使えるようにできないか、▲２▼持ち運びに不便であったステージを容易に持ち運べるようにできないか、▲３▼イベント開催費用に占めるステージ組立費用を抑えることができないか、▲４▼繰り返し使えるようにするために、収納する手間を減らし、かつ、収納スペースの場所を取らずに保管できないか、▲５▼イベントの訴求力をより高めるために、ステージ自体に広告を載せることができないか、という点にある。
【課題を解決するための手段】
【０００５】  本発明は、ペーパーキットによって組立てることにより、運搬・組立・撤去・収納を容易にすることを特徴とする。また、天板・側面に広告掲載ができることを特徴とする。
【発明の効果】
【０００６】  本発明は、道具を使わずに簡単にステージを組立てることができる。また、繰り返し使えるため、イベントが終了すると、立体であったステージが平面に折りたたむことができ、小スペースで収納が可能なので場所を取らず、次のイベントが開催されるまで保管しておくこともできる。さらに、手軽に持ち運びができるために、天板がカバンになるため、コンパクトで移動が楽にできる。このように、設営から撤収までを従来の技術に比べスムーズに行えることから、今よりももっと手軽にイベントが開催できる。
【図面の簡単な説明】
【０００７】
【図１】本発明の展開図である。
【図２】本発明の実施方法を示した説明図である。
【図３】本発明を４つ連結した説明図である。
【発明を実施するための形態】
【０００８】  組立てるための全ての部品においてペーパーを用い、しかも最小の部品点数を用いている。折りたたむと、カバンとして容易に持ち運ぶことができ、カバン側面に広告を掲載できる。また、適材適所でペーパーの強度を変えることにより、軽量化を図り、全体の強度を損なわずにイベント・ステージ、ベッド、台への使用を実現した。
【図１】
2020018819.tif 000003
【図２】
2020018819.tif 000004
【図３】
2020018819.tif 000005
(57)【要約】【課題】傘を干すに当り、風に飛ばされる事がない、かつ風に飛ばされない様にする為、傘をロープで柵などに縛り付けるなどの面倒な作業が不要な傘干しできる構造のものを提供することであり、簡単にセットでき狭い場所でも干せるコンパクトな構造のものを提供することである。【解決手段】物を支持する支柱３を備えた重り１に傘の先を挿入して支持する穴２を備え、第１の発明では穴２に支持された傘は傘軸にあるストッパーを働らかせて傘の骨が自由に開かない小開きの状態で干すのであり、第２の発明では傘の骨を当てて傘を半開状態に保つストッパー部材５を備えて半開状態で干すものである。【選択図】図１
2020018820.tif 000002
【特許請求の範囲】
【請求項１】
物を支持する支柱を備えた重りに傘の先を挿入して傘を支持する穴を備え、この穴に支持された傘は傘軸にあるストッパーを働らかせて閉じた傘の骨が自由に開かない小開きの状態にして傘の先を挿入されたものであり、かくして傘を小開きの状態にして干す支柱を備えた重りを傘干しに利用する構造。
【請求項２】
物を支持する支柱を備えた重りに傘の先を挿入して傘を支持する穴を備え、更に傘の骨を当てて傘を所定の半開状態に保つストッパー部材を備え、かくして傘を半開状態にして干す支柱を備えた重りを傘干しに利用する構造。
【発明の詳細な説明】
【技術分野】
【０００１】本発明は支柱を備えた重りを傘干しに利用する構造に関するものである。
【背景技術】
【０００２】一般に濡れた傘を干す場合、傘干しに適する商品は存在せず、例えば玄関先に傘を開いて干すと風に飛ばされる事があり、ベランダの柵などにロープで縛り付けて干せばこの心配はないが、ロープで縛り付ける作業が面倒である。傘を開いて竿に柄を掛けて干す人もいるが、風に飛ばされる心配は依然としてあるし、風に吹かれて動き回り危険である。いずれも傘干しに適する構造のものがない事が原因である。
【発明の開示】
【発明が解決しようとする課題】
【０００３】本発明の目的は濡れた傘を干すに当り、風に飛ばされる事がない、かつ風に飛ばされる事を防ぐ為に傘をロープで柵などに縛り付けるなどの面倒な作業が不要な傘干しできる構造のものを提供する事であり、簡単にセットでき、見栄えが良くなる傘干しできる構造のものを提供する事である。かつ、傘を干す場合はスペースを取って狭い場所には置けないので、コンパクトに干す構造のものを提供する事である。
【課題を解決する為の手段】
【０００４】物を支持する支柱を備えた重りに傘の先を挿入して傘を支持する穴を備え、この穴に支持された傘は傘軸にあるストッパーを働らかせて閉じた傘の骨が自由に開かない小開きの状態にして傘の先を挿入してある様にした。第２の発明では物を支持する支柱を備えた重りに傘の先を挿入して傘を支持する穴を備え、更に傘の骨を当てて傘を半開状態に保つストッパー部材を備える構成とした。
【発明の効果】
【０００５】本発明によれば傘を小開き又は半開きの状態で干すので、場所を取らずにコンパクトに干す事ができる。傘をこの様な状態で干すが、傘の布は重なっておらず、乾きに問題はない。傘の骨は適度な直径で広がっており、日光や風などで傘の裏側は乾きが良く、傘の骨に錆が出るのを防止する。又、傘の先を穴に挿入するだけで簡単に傘を干す事ができ、セットが楽であり、腰をかがめる必要もない。加えて従来の様にベランダの柵にロープで縛り付けるなどの面倒な作業が不要であり、傘を開いて玄関先に置いたり、竿に掛けたりする時の様な風に飛ばされる心配もない。
更に一度に４〜８本の沢山の傘を干す事もできる大きな特徴がある。
【発明を実施する為の形態】
【０００６】図１は本発明による支柱を備えた重りを傘干しに利用する構造の一実施例で、先ず図１（イ）においてコンクリートブロックや水を溜めた容器などの重り１に物を支持する支柱３を備え、左右の支柱３間には竿４が渡され、この竿４に洗濯物などの物が掛けられている（図では支柱３は竿４に掛けられた洗濯物を支持するが、旗などの物を支持する場合もある）。重り１には長さは長いが断面が小さな支柱３が備えられるのみであるから、重り１の周囲にはスペースが多くあり、図２の如く傘を干す事ができるのである（重り１には４本の傘を干す事ができ、左右で８本まで干せる）。重り１は倒れを防止する役目を担っている。重り１には傘の先を挿入して傘を支持する穴２が所定数備えられている。図１（イ）の使用状態をＡ方向から見て図２（イ）に示すが、雨に濡れた傘の先を穴２に挿入して傘を干す。この場合、穴２に挿入する傘６は図３（イ），（ロ），（ハ）の如く傘軸７にあるストッパー８を働らかせて閉じた傘の骨が自由に開かない状態（小開きのの状態）にして傘の先を挿入する。この様な小開きの状態であってもＢ矢視図を示した図３（ハ）の如く傘の布は重なっておらず、乾きに問題はなく、傘の骨は適度の直径で広がっているから、日光や風などで傘の裏側の乾きが良く、傘の裏側にある骨（金属製）に錆の発生を防ぐのに適した干し方である。
図１（ロ）に示す構造のものは重り１に傘の先を挿入して傘を支持する穴２とストッパー部材５とを備えたもので、使用状態を図２（ロ）に示す。図２（ロ）において傘は半開状態にして（図３（ロ）のストッパー８を解除して傘の骨が自由に開ける状態にして――但し、小さく開いた半開状態として）傘の先を穴２に挿入して手を離せば、傘の骨はストッパー部材５に当ってそれ以上開かなくなり、所定の開きになった半開状態を維持する様になる。傘の開きは図１（イ）より大であるから、乾きは良い。
５′は外れ防止部で、傘の骨が外れるのを防止するものであるが、必要不可欠なものではない。
【図面の簡単な説明】
【０００７】
【図１】本発明による支柱を備えた重りを傘干しに利用する構造の図。
【図２】本発明の使用状態を示す図。
【図３】傘を小開きにした状態を示す図。
【符号の説明】１は重り、２は穴、３は支柱、４は竿、５はストッパー部材、５′は外れ防止部、６は傘、７は傘軸、８はストッパーである。
【図１】
2020018820.tif 000003
【図２】
2020018820.tif 000004
【図３】
2020018820.tif 000005
(57)【要約】      （修正有）【課題】靴を履く時と靴を脱ぐ時共用できる靴ベラの提供。【解決手段】１は靴ベラで、２は靴ベラ保持部、３は柄、４は握り手、５は靴の踵押し下げパッドである。そして、６は靴ベラの中央部付近の両側に設けた窪み、７は足の踵の滑り止め用に設けた数条の凸みである。【選択図】図１
2020018815.tif 000002
【特許請求の範囲】
【請求項１】
一つの靴ベラで、靴を履く時と靴を脱ぐ時に共用するため、靴ベラの途中の両側に窪みを設けた靴ベラであって、靴を履く時は窪みより先端側を活用し、靴を脱ぐ時は、靴ベラの柄を更に下押しして、窪みより先端側を湾曲させて足裏と靴の中敷の間に挿入し、足の踵を持ち上げて靴脱ぎ効果を高めることを特徴とする靴ベラ。
【請求項２】
靴ベラの途中の両側に設けた窪みより後端側の中央付近に、靴脱ぎ時に踵が滑りにくくする為に数条の凸みを設けたことを特徴とする靴ベラ。
【発明の詳細な説明】
【技術分野】
【０００１】本発明は、靴履き時と靴脱ぎ時に使用する靴ベラを共用できる様にし、且つ靴の着脱を楽しく、安全で容易に行うための装置に関するものである。
靴ベラは基本的に靴履き単独で使用されている。本考案は、靴ベラの途中の中央付近の両側に窪みを設けて、靴履き時は靴ベラの両側の窪みより先端側を使い、靴脱ぎ時には靴ベラの柄を更に下押しして、靴ベラの両側の窪みより先端側を湾曲させて足裏と靴の中敷の間に挿入し、足の踵を持ち上げて靴脱ぎ効果を高め、さらに、靴ベラの両側の窪みより後端側の中央付近に数条の凸みを設けて踵を滑りにくくして、踵を持ちあげ易くし、靴脱ぎを容易に行ことができる。従って、靴の着脱時に靴ベラの同一面を活用することを特徴とする靴ベラである。更に、靴脱ぎを容易にするため、靴ベラの柄を更に下押しして、靴ベラ保持部下端に設けた靴の踵押さえを併用することにより、靴脱ぎが更に容易になり、楽しく、安全に使用できるようにするための装置に関するものである。
なお、靴ベラの握り手と柄、靴ベラ保持部、靴の踵押さえを木製で一体加工することや、靴ベラ保持部と靴の踵押さえ並びに靴ベラを一体の合成樹脂成型加工とし、靴ベラの握手と柄を装着して造りこむことに関するものである。
【背景技術】
【０００２】靴ベラには握手と靴ベラが合成樹脂製の一体成型加工された物や、お洒落を兼ねて彫刻を施した木製の握手と金属製の柄の先端に金属製のばねを介して装着された金属製の靴ベラ、そして、携帯用の小さな合成樹脂製や皮革製の靴ベラが存在する。【０００３】靴ベラには握手と柄と靴ベラが同一材料にて一体で出来ている物と、握り手と柄が別体で作製され、組立て構成された物がある。靴ベラの材料には竹や木材、合成樹脂、金属、皮革などが使用されている。（非特許文献１）
【先行技術文献】
【特許文献】
【０００４】
【特許文献１】実用新案登録  第３１４９６４０
【特許文献２】実用新案願  昭４８−１７７７６
【特許文献３】実用新案願  昭５４−８５５９３
【非特許文献】
【０００５】
【非特許文献１】竹虎  ファミカシューヘルパー
【発明の概要】
【発明が解決しようとする課題】
【０００６】解決しようとする課題は、従来の靴ベラでは基本的に靴を履く時にのみ活用されている。その中に着脱式靴ベラもあるが、柄の片側に靴履き具、反対側に靴脱ぎ具が付いた構造であり、靴を履く時と靴を脱ぐ時共用できる靴ベラで、楽しく且つ容易で安全に利用できることが求められる。【０００７】本発明の目的は、上記課題に鑑み、従来の靴ベラに比べ、靴を脱ぐ時の楽しさと且つ容易で安全に行えることを付加し、健常者は基より、高齢者や病弱の人にも安心して利用できる装置を実現することである。
【課題を解決するための手段】
【０００８】上記課題を解決するため、本発明に係る靴ベラは、靴履き時の活用は基本的に現行品と同様である。靴を脱ぐ時には、靴のひもを緩めてから、靴を履く時と同様に、本靴ベラを足の踵と靴の踵部の間に挿入し、靴ベラの柄を更に下押しすると靴ベラの中央部付近の両側に設けた窪みから先端側が湾曲して、足裏と靴の中敷きの間に挿入されて、踵を持ち上げる力が発揮される。そして、靴ベラの後端側中央付近に、足の踵が滑りにくくするために設けた数条の凸みに適宜踵が乗り、踵を軽く後退りさせることで、踵はさらに持ち上がって、靴を脱ぐことができる。【０００９】更に靴ベラの柄を下押しすると、靴の踵押し下げパッドが靴の踵部に接触し、前述との相乗効果により、更に楽しく容易で安全に靴を脱ぐことができる。
【発明の効果】
【００１０】上記発明の靴履き靴脱ぎ共用靴ベラの開発により、一般の健常者は基より、高齢者や病弱の人も、靴の着脱が楽しく容易に出来るようになり、多くの人々が屋外に出掛ける機会が増加して健康増進が図れる。さらに靴履き靴脱ぎ共用靴ベラの普及により、これに関連した製造業の発展や交通産業、外食産業などのへの波及効果が期待できる。
【図面の簡単な説明】
【００１１】
【図１】本発明の実施例に係る靴履き靴脱ぎ共用靴ベラの正面図である。図１上の１は靴ベラで、２は靴ベラ保持部、３は柄、４は握り手、５は靴の踵押し下げパッドである。そして、６は靴ベラの中央部付近の両側に設けた窪み、７は足の踵の滑り止め用に設けた数条の凸みである。
【図２】本発明の実施例に係る靴履き靴脱ぎ共用靴ベラの平面図である。
【図３】本発明の実施例に係る靴履き靴脱ぎ共用靴ベラの右側面図である。
【図４】本発明の実施例に係る靴履き靴脱ぎ共用靴ベラの左側面図である。
【発明を実施するための形態】
【００１２】以下、本発明の実施形態ついて説明する。提案の靴履き靴脱ぎ共用靴ベラは、現在一般の家庭で利用されている靴ベラと同様に活用でき、更に靴脱ぎ装置が付加されたことにより、同一の靴ベラで、靴履き靴脱ぎが楽しく、容易で安全に利用できる。
【実施例】
【００１３】一般の家庭用靴ベラとして、靴履き靴脱ぎ共用靴ベラは、板厚が比較的薄い円筒形の合成樹脂素材より切り出し加工したものを、木製の丸棒を加工した靴ベラ保持部に挿入・接着し、更に、この保持部に握り手を加工済の柄を嵌合・接着を行い、最後に木製板材より切り出した靴の踵抑えの表面に、靴の踵部損傷防止用の不織布を装着した靴の踵押さえパッドを靴ベラ保持部下端に接着し完成した事例である。
【産業上の利用可能性】
【００１４】本発明により、家庭内や職場での靴の着脱が楽しく且つ、容易になり、本靴履き靴脱ぎ共用靴ベラが普及することにより、靴ベラ用の摩擦係数が低く、強靭で廉価な合成樹脂の研究開発が行われ、多量生産が進めば、物流関連企業に於いて、段ボール箱詰めされた貨物の自動仕分けルートでの仕分け装置等への、低い摩擦係数の素材の採用は、箱入り貨物の品質向上や仕分け速度の向上からの要請が期待できる。更にまた、遊園地の滑り台や大型リゾート施設の長い距離の滑り台等への適用により、滑り速度を適宜向上させ、来場者の人気を得て、リゾート産業を初め交通産業の発展に寄与できる。
【符号の説明】
【００１５】１．靴ベラ
２．靴ベラ保持部
３．柄
４．握り手
５．靴の踵押し下げパッド
６．靴ベラの中央部付近の両側に設けた窪み
７．足の踵の滑り止め用に設けた数条の凸み
【図１】
2020018815.tif 000003
【図２】
2020018815.tif 000004
【図３】
2020018815.tif 000005
【図４】
2020018815.tif 000006